(57)【要約】【課題】歯科矯正にアンカースクリューを使用する方法におけるスクリュー固定処置において、スクリューＳをねじ込む感覚を取得できるトレーニング器具を提供する。【解決手段】矯正用部材の固定に使用されるスクリューＳを顎骨Ｂに取り付ける処置の練習器具であって、木材によって形成された本体部２と、本体部２の一面に固定された、本体部２の木材より硬い素材によって形成された硬質部３とからなる。本体部２が木材で形成されているから、本体部２にスクリューＳをねじ込めば、顎骨にスクリューＳをねじ込んでいる場合と類似した感覚を体験することができる。そして、スクリューＳが本体部２を貫通しその先端が硬質部３に接触すると、スクリューＳが顎骨Ｂを貫通して歯根Ａに接触する感覚を体験することができる。【選択図】図１
0003112424.tif 000002
【実用新案登録請求の範囲】
【請求項１】
矯正用部材の固定に使用されるスクリューを顎骨に取り付ける処置の練習器具であって、
木材によって形成された本体部と、
該本体部の一面に固定された、前記本体部の木材より硬い素材によって形成された硬質部とからなる
ことを特徴とするトレーニング器具。
【請求項２】
矯正用部材の固定に使用されるスクリューを顎骨に取り付ける処置の練習器具であって、
木材によって形成された本体部と、
該本体部に埋設された、前記本体部の木材より硬い素材によって形成された硬質部とからなる
ことを特徴とするトレーニング器具。
【請求項３】
前記本体部の木材が、ラワン材である
ことを特徴とする請求項１または２記載のトレーニング器具。
【請求項４】
前記本体部が、その法線同士が非平行となる２面を備えており、
該２面のうち、一方の面がスクリューをねじ込む挿入面であり、
他方の面には、前記硬質部が固定されている
ことを特徴とする請求項１記載のトレーニング器具。
【請求項５】
前記挿入面に、柔軟性を有し、かつ、スクリューによって貫通可能な素材によって形成された軟質部を備えている
ことを特徴とする請求項４記載のトレーニング器具。
【請求項６】
前記硬質部が、透明な素材によって形成されている
ことを特徴とする請求項１記載のトレーニング器具。
【考案の詳細な説明】
【技術分野】
【０００１】
本考案は、トレーニング器具に関する。
【背景技術】
【０００２】
従来、歯列の矯正には、ブラケットとワイヤーが使用されており、歯の表面にブラケットを接着して固定し、その後、ブラケット間をワイヤーで連結し、ワイヤーの張力によって歯を移動させることによって歯列を矯正している。この場合には、ワイヤーの張力によって歯を移動させるための固定源が必要であり、通常は、奥歯（大臼歯）が固定源に使用されている。
しかし、従来の方法は、歯同士の相対的な位置を調整することはできるものの、ワイヤーの張力によって固定源となっている奥歯も若干移動してしまうため、顎骨に対する絶対的な位置を調整することは困難であった。
ヘッドギア等の顎外固定源を使用すれば、歯同士の相対的な位置だけでなく、顎骨に対する絶対的な位置を調整することも可能であるが、顎外固定源を使用することにより患者の日常生活が不自由になるし、また、顎外固定源を使用する時間が短い場合には日常生活の不自由さは解消できるものの、十分な矯正効果が得られない。
【０００３】
近年、顎骨に対する絶対的な位置を調整する方法として、矯正用アンカースクリューを使用する方法が開発されている（非特許文献１）。図３に示すように、この方法では、ブラケットＢＬ同士を連結するワイヤーＷ１に加えて、顎骨Ｂに直接スクリューＳを固定し、このスクリューＳと、ワイヤーＷ１に固定されたフックＦとの間にスプリングＳＰを設け、このスプリングＳＰの力によってワイヤーＷ１をスクリューＳに向かって引っ張っている。すると、ワイヤーＷ１が引っ張られることによりブラケットＢＬが設けられている歯もスクリューＳに向かって引っ張られるから、歯の位置を調整することができ、しかも、スクリューＳ、つまり、顎骨Ｂを固定源とすることができるので、顎骨Ｂに対する歯Ｔの絶対的な位置を調整することができるのである。
【０００４】
しかるに、矯正用アンカースクリューを使用する方法では、スクリューＳを顎骨Ｂにねじ込んで固定するのであるが、スクリューＳをねじ込むときに、歯根Ａを傷つけないようにする必要がある。スクリューＳをねじ込んで配置する位置は、顎骨Ｂをレントゲン撮影した写真により事前に決定することができるものの、決定した位置に正確にスクリューＳをねじ込むのは難しく、スクリューＳをねじ込む位置が設定した位置からずれた場合には、歯根Ａと接触する恐れがある（図２（Ｂ）破線参照）。スクリューＳが歯根Ａに接触しても、歯根Ａに傷をつける前にスクリューＳを後退させれば問題はないが、作業中はスクリューＳの位置をレントゲンで確認できないため、スクリューＳをねじ込んでいる手の感覚だけ、または、低速エンジンを備えた機器を使用する場合には低速エンジンの感覚だけでスクリューＳが歯根Ａに接触したか否かを判断しなければならない。しかし、この感覚は非常に微妙であり、経験により修得するしかないが、人体で練習することはできないので、この感覚を取得するための器具が要求されている。
【０００５】
【非特許文献１】マイクロインプラントアンカレッジ（ＭＩＡ）研究会、“ＭＩＡとは”［２００５年５月６日検索］、〈URL: http://www.micro-implant.info/about.html〉
【考案の開示】
【考案が解決しようとする課題】
【０００６】
本考案は上記事情に鑑み、歯科矯正にアンカースクリューを使用する方法におけるスクリュー固定処置において、スクリューＳをねじ込む感覚を取得できるトレーニング器具を提供することを目的とする。
【課題を解決するための手段】
【０００７】
第１考案のトレーニング器具は、矯正用部材の固定に使用されるスクリューを顎骨に取り付ける処置の練習器具であって、木材によって形成された本体部と、該本体部の一面に固定された、前記本体部の木材より硬い素材によって形成された硬質部とからなる
ことを特徴とする。
第２考案のトレーニング器具は、矯正用部材の固定に使用されるスクリューを顎骨に取り付ける処置の練習器具であって、
木材によって形成された本体部と、
該本体部に埋設された、前記本体部の木材より硬い素材によって形成された硬質部とからなる
ことを特徴とするトレーニング器具。
第３考案のトレーニング器具は、第１または２考案において、前記本体部の木材が、ラワン材であることを特徴とする。
第４考案のトレーニング器具は、第１考案において、前記本体部が、その法線同士が非平行となる２面を備えており、該２面のうち、一方の面がスクリューをねじ込む挿入面であり、他方の面には、前記硬質部が固定されていることを特徴とする。
第５考案のトレーニング器具は、第４考案において、前記挿入面に、柔軟性を有し、かつ、スクリューによって貫通可能な素材によって形成された軟質部を備えていることを特徴とする。
第６考案のトレーニング器具は、第１考案において、前記硬質部が、透明な素材によって形成されていることを特徴とする。
【考案の効果】
【０００８】
第１考案によれば、本体部が木材で形成されているから、本体部にスクリューをねじ込めば、顎骨にスクリューをねじ込んでいる場合と類似した感覚を体験することができる。そして、スクリューが本体部を貫通しその先端が硬質部に接触すると、スクリューが顎骨を貫通して歯根に接触する感覚を体験することができる。
第２考案によれば、本体部が木材で形成されているから、本体部にスクリューをねじ込めば、顎骨にスクリューをねじ込んでいる場合と類似した感覚を体験することができる。そして、スクリューが本体部を貫通しその先端が硬質部に接触すると、スクリューが顎骨を貫通して歯根に接触する感覚を体験することができる。しかも、硬質部の位置が外部から確認できないので、本体部にスクリューをねじ込んでいるときに、スクリューが硬質部と接触するタイミングを予測することが難しくなる。すると、人体中で生じる現象、つまり、スクリューが突然歯根に接触したときの感覚を体験することができる。
第３考案によれば、本体部にスクリューをねじ込んでいる感覚を、顎骨にスクリューをねじ込む感覚により一層近づけることができる。
第４考案によれば、挿入面と硬質部が非平行となっているので、本体部にスクリューをねじ込んでいるときに、スクリューが硬質部と接触するタイミングを予測することが難しくなる。すると、人体中で生じる現象、つまり、スクリューが突然歯根に接触したときの感覚を体験することができる。
第５考案によれば、軟質部の存在によって、スクリューをねじ込んでいる感覚に歯茎が与える影響も体験させることができるので、より人体に近い感覚を取得することができる。
第６考案によれば、スクリューが硬質部と接触しているか否か、また、どのぐらい硬質部に傷をつけたかを目視確認できる。
【考案を実施するための最良の形態】
【０００９】
つぎに、本考案の実施形態を図面に基づき説明する。
図１は本実施形態のトレーニング器具１の概略説明図であって、（Ａ）は斜視図であり、（Ｂ）は（Ａ）の断面図であり、（Ｃ）は他の断面形状の例を示した図である。同図において、符号２は、トレーニング器具１の本体部を示している。この本体部２は、例えばラワン材や朴（ほうのき）等の木材によって形成された棒状の部材である。木材は繊維間に空隙を有するため、木材にスクリューＳをねじ込む感覚は内部に多数の空隙を有する骨にスクリューＳをねじ込む感覚と似ている。よって、本体部２に木材を使用することによって本物の骨を使用しなくても、顎骨にスクリューＳをねじ込む感覚を体得することができる。
とくに、本体部２をラワン材とすれば、顎骨にスクリューＳをねじ込んでいる感覚と非常に近似した感覚を体験することができるので、好適である。
【００１０】
図１に示すように、本体部２は、その断面形状が略三角形状に形成されており、その底面２ｂには、硬質材３が取り付けられている。この硬質材３は、例えばアクリルや歯科用硬質レジン等の前記本体部２の材料よりも硬い材料によって形成されている。
また、本体部２において、前記底面２ｂと交差する２つの側面２ａ，２ａには、例えばシリコンやゴム等の本体部２よりも柔らかく、かつ、スクリューＳを突き刺すと貫通する素材によって形成された軟質部４が取り付けられている。この２つの側面２ａ，２ａが実用新案請求の範囲にいう挿入面であり、以下、挿入面２ａという。
【００１１】
なお、本体部２の断面形状は略三角形状に限られず、硬質材３が取り付けられる底面２ｂと、この底面２ｂに対して傾いた面、つまり、底面２ｂの法線と非平行な法線を有する面を備えていればよく、その断面形状はとくに限定されない。例えば、図１（Ｃ）に示すように、断面が略半円形とし、円筒状の面２ａを挿入面としてもよい。
さらになお、本体部２は、硬質材３が取り付けられる底面２ｂと、この底面２ｂに対して傾いた面、つまり、底面２ｂの法線と非平行な法線を有する面を備えていればよく、棒状の部材に限られない。
さらになお、軟質部４は設けなくてもよいが、スクリューＳをねじ込んでいる感覚に歯茎が与える影響も体験させることができるので、より人体に近い感覚を取得することができる。
【００１２】
つぎに本実施形態のトレーニング器具１の使用方法を説明する。
図２に示すように、スクリューＳを、軟質部４の表面からねじ込んでいくと、やがてスクリューＳが軟質部４を貫通し、本体部２の挿入面２ａにスクリューＳの先端が接触する。つまり、人体において、スクリューＳの先端が歯茎を貫通した感覚を体験することができる（図２（Ａ））。
【００１３】
本体部２の挿入面２ａにスクリューＳの先端が接触してから、さらにスクリューＳをねじ込んでいくと、スクリューＳが本体部２にねじ込まれる（図２（Ｂ））。すると、本体部２が木材によって形成されているから、顎骨にスクリューＳをねじ込んでいる場合と類似した感覚を体験することができる。
【００１４】
スクリューＳをさらにねじ込んでいくと、やがて、スクリューＳの先端が硬質部３に到達する（図２（Ｃ））。このとき、スクリューＳを通して硬い部材に接触した感覚が手に伝わる。つまり、スクリューＳが顎骨を貫通して歯根に接触する感覚と類似する感覚を体験することができるのである。
この訓練を繰り返せば、スクリューＳが顎骨を貫通して歯根に接触する微妙な感覚を、実際に人に処置する経験をつまなくても、体得することができるのである。
【００１５】
また、本実施形態のトレーニング器具１では、硬質部３が取り付けられている底面２ｂに対して挿入面２ａが傾いているから、挿入面２ａから硬質部３までの距離の予測が難しい。言い換えれば、本体部２にスクリューをねじ込んでいるときに、スクリューＳの先端が硬質部３と接触するタイミングを予測することが難しい。すると、人体の顎骨にスクリューＳをねじ込む場合にはスクリューＳは突然歯根に接触することになるが、上記のごとく、本実施形態のトレーニング器具１では硬質部３にスクリューＳが接触するタイミングを予測することが難しいので、人体中で生じる現象、つまり、歯根にスクリューが突然接触する感覚を体験することができる。よって、本実施形態のトレーニング器具１を使用すれば、より実践的なトレーニングを行うことができる。
なお、硬質材３を、底面２ｂだけでなく本体部２内に埋め込んでもよい。この場合には、本体部２内に埋めこまれている硬質材３の位置が全く外部から見えないので、より実践的なトレーニングを行うことができる。
さらになお、硬質材３を本体部２内に埋め込む場合には、底面２ｂに硬質材３を設けなくてもよいし、本体部２の一部だけでなく、前面に軟質部４を設けることも可能であり、どの面からでもスクリューＳを挿入することができる。
【００１６】
さらに、硬質部３の素材として透明な材料を使用すれば、硬質部３にスクリューＳが接触したと感じたときに、実際に接触しているか否か、また、どのぐらい硬質部３に傷をつけたかを目視確認することができる。
【図面の簡単な説明】
【００１７】
【図１】本実施形態のトレーニング器具１の概略説明図であって、（Ａ）は斜視図であり、（Ｂ）は（Ａ）の断面図であり、（Ｃ）は他の断面形状の例を示した図である。
【図２】本実施形態のトレーニング器具１の使用方法を示した図である。
【図３】歯科矯正にアンカースクリューを使用する方法による歯並び矯正状態の説明図である。
【符号の説明】
【００１８】
１          トレーニング器具
２          本体部
２ａ        挿入面
３          硬質部
４          軟質部
Ｓ          スクリュー
【図１】
0003112424.tif 000003
【図２】
0003112424.tif 000004
【図３】
0003112424.tif 000005